(57)【要約】【課題】複数のユースポイントへの液体の分配供給を可能とする液体供給システムにおいて、構成の煩雑化を回避しつつ、液体圧力を望み通りに適正に制御する。【解決手段】本システムでは、液体を流通させる主供給ライン１２と、その主供給ライン１２の途中に設けられたポンプ１３と、主供給ライン１２から分岐させて設けられた複数の分岐ラインＬＮ１〜ＬＮｎとを備えており、開閉弁２１により各分岐ラインＬＮ１〜ＬＮｎが個別に開閉されて当該各ラインにおける液体の流通が許可又は禁止される。圧力制御部３０内のコントローラ３５は、各分岐ラインの開閉が要求される場合に、その開閉に伴う分岐ラインの流量変化分に相当する電空レギュレータ３２の制御量を算出するとともに、分岐ラインの開閉に同期させて、前記アクチュエータ制御量に基づいて電空レギュレータ３２の駆動を制御する。【選択図】      図１
2008299774.tif 000002
【特許請求の範囲】
【請求項１】
液体を流通させる液体通路と、
該液体通路の途中に設けられ前記液体を圧送する圧送手段と、
前記液体通路から分岐させて設けられた複数の分岐通路と、
前記液体通路の途中に設けられ同液体通路内の液体圧力を調整する圧力調整用アクチュエータと、
を備え、前記複数の分岐通路を個別に開放又は閉鎖し、開放された分岐通路を通じて前記液体通路から液体を流通させる液体供給システムにおいて、
各分岐通路の開放又は閉鎖が要求される場合に、その開放又は閉鎖に伴う前記分岐通路の流量変化分に相当する前記圧力調整アクチュエータの制御量を算出する制御量算出手段と、
前記分岐通路の開閉に同期させて、前記制御量算出手段により算出したアクチュエータ制御量に基づいて前記圧力調整用アクチュエータの駆動を制御するアクチュエータ制御手段と、
を備えることを特徴とする液体供給システム。
【請求項２】
同時に開閉される前記分岐通路の数と前記アクチュエータ制御量との関係を規定した制御量データを記憶装置に記憶しておき、
前記制御量算出手段は、前記要求に伴う分岐通路の開閉に際し、前記制御量データを参照して前記アクチュエータ制御量を算出することを特徴とする請求項１に記載の液体供給システム。
【請求項３】
前記複数の分岐通路について開閉に伴う流量変化分に相当する前記アクチュエータ制御量を分岐通路ごとに規定した通路別データを記憶装置に記憶しておき、
前記制御量算出手段は、前記要求に伴う分岐通路の開閉に際し、前記通路別データを参照して前記アクチュエータ制御量を算出することを特徴とする請求項１に記載の液体供給システム。
【請求項４】
前記液体通路内の液体圧力を検出する圧力検出手段と、
前記圧力検出手段により検出した液体圧力が目標値に一致するよう前記圧力調整用アクチュエータの制御量をフィードバック制御するフィードバック制御手段と、
をさらに備えることを特徴とする請求項１乃至３のいずれかに記載の液体供給システム。
【請求項５】
前記複数の分岐通路について少なくともいずれかを開閉させる旨指令する開閉指令手段と、
前記開閉指令手段による指令後において前記アクチュエータ制御手段による圧力調整用アクチュエータの制御を停止した状態で前記フィードバック制御手段によるフィードバック制御を実行し、同フィードバック制御によって求められた実制御量を、都度の分岐通路の開閉指令に対応づけて記憶する制御量記憶手段と、を備え、
前記制御量算出手段は、前記制御量記憶手段により記憶した実制御量を用いて都度のアクチュエータ制御量を算出することを特徴とする請求項４に記載の液体供給システム。
【請求項６】
前記開閉指令手段は、前記複数の分岐通路について同時に開閉可能な分岐通路の数分の全パターンを順次指令することを特徴とする請求項５に記載の液体供給システム。
【請求項７】
前記開閉指令手段は、前記複数の分岐通路について当該分岐通路を１つずつ開放又は閉鎖させる旨を順次指令することを特徴とする請求項５に記載の液体供給システム。
【請求項８】
前記アクチュエータ制御手段によるアクチュエータ駆動後における前記液体通路内の圧力変化を検出する圧力変化検出手段と、
該圧力変化検出手段により検出された圧力変化に基づいて、前記アクチュエータ制御手段による前記圧力調整用アクチュエータの駆動タイミングを変更するタイミング制御手段と、
をさらに備えることを特徴とする請求項１乃至７のいずれかに記載の液体供給システム。
【請求項９】
前記タイミング制御手段は、前記分岐通路の開放要求時において前記圧力変化検出手段により減少側の圧力変化が検出された場合にはアクチュエータ駆動タイミングを早くし、同じく開放要求時において前記圧力変化検出手段により増加側の圧力変化が検出された場合にはアクチュエータ駆動タイミングを遅くすることを特徴とする請求項８に記載の液体供給システム。
【請求項１０】
前記アクチュエータ制御手段によるアクチュエータ駆動後における前記液体通路内の圧力変化を検出する圧力変化検出手段と、
該圧力変化検出手段により検出された圧力変化に基づいて、前記アクチュエータ制御手段による次回以降のアクチュエータ制御量を補正する制御量補正手段と、
をさらに備えることを特徴とする請求項１乃至７のいずれかに記載の液体供給システム。
【請求項１１】
前記圧力調整用アクチュエータとして、前記液体通路において各分岐通路の分岐点よりも下流側に設けられたパイロット作動式のリリーフ弁と、該リリーフ弁に作用するパイロット圧を調整するパイロット圧調整手段とを備え、
前記制御量算出手段は、前記アクチュエータ制御量として、前記分岐通路の開閉に伴う圧力変化を解消するためのパイロット圧に相当する制御量を算出することを特徴とする請求項１乃至１０のいずれかに記載の液体供給システム。
【請求項１２】
前記圧力調整用アクチュエータとして、前記液体通路において各分岐通路の分岐点よりも上流側に設けられたパイロット作動式の圧力調整弁と、該圧力調整弁に作用するパイロット圧を調整するパイロット圧調整手段とを備え、
前記制御量算出手段は、前記アクチュエータ制御量として、前記分岐通路の開閉に伴う圧力変化を解消するためのパイロット圧に相当する制御量を算出することを特徴とする請求項１乃至１０のいずれかに記載の液体供給システム。
【発明の詳細な説明】
【技術分野】
【０００１】
本発明は、半導体製品や化学薬品等の製造に際し、その製造に使用する薬品等の液体を複数のユースポイントに分配供給するための液体供給システムに関する。
【背景技術】
【０００２】
半導体製品や化学薬品等の製造工場では、薬品等の液体をタンク等の供給源から汲み上げ、流通ラインを通じて循環させるとともに、複数のユースポイントに分配供給するシステムが用いられている。そのシステムの概要を図１２により説明する。
【０００３】
図１２に示すように、液体タンク７１には主供給ライン７２が接続されており、液体タンク７１内の液体はポンプ７３によって汲み上げられた後、主供給ライン７２を通じて循環する。主供給ライン７２には複数の分岐ライン７４が接続され、その分岐ライン７４ごとに開閉弁７５と可変絞り７６とが設けられている。かかる構成において、各分岐ライン７４のいずれかの開閉弁７５が開放されることにより所定のユースポイントに対して液体が供給される。また、主供給ライン７２において各分岐ライン７４の下流側には、液体圧力を検出する圧力計７７と、液体圧力を開放するためのリリーフ弁７８とが設けられている。
【０００４】
上記構成のシステムでは、単一の液体圧送系を有する構成で多数のユースポイントへの液体供給が可能となる。またこのとき、分岐ラインの設定数の範囲内において任意の数のユースポイントに同時に液体を分配供給することができる。
【０００５】
しかしながら、上記従来のシステムでは、各分岐ライン７４が任意に開放されると、その分各分岐ライン７４を通じて流出する液体の総流量が変化する。そのため、主供給ライン７２を流れる液体圧力が変動し、結果として各分岐ラインにおける液体流量の変動が生じることとなる。これにより、各ユースポイントに給送される液体流量が変動してしまう。
【０００６】
その対策として、分岐ライン７４ごとに圧力センサや圧力調整弁（レギュレータ）等を設置し、個別に圧力調整を行うことが考えられる。しかしながら、かかる場合には構成の煩雑化を招いてしまい、設置スペースやコスト面で課題が残る。ちなみに、液体の吐出流量をフィードバック制御により安定させるための技術としては、特許文献１等が知られている。
【特許文献１】特開平７−２３２１１３号公報
【発明の開示】
【発明が解決しようとする課題】
【０００７】
本発明は、複数のユースポイントへの液体の分配供給を可能とする液体供給システムにおいて、構成の煩雑化を回避しつつ、液体圧力を望み通りに適正に制御することを主たる目的とするものである。
【課題を解決するための手段】
【０００８】
以下、上記課題を解決するのに有効な手段等につき、必要に応じて効果等を示しつつ説明する。なお以下では、理解を容易にするため、発明の実施の形態において対応する構成例を括弧書き等で適宜示すが、この括弧書き等で示した具体的構成に限定されるものではない。
【０００９】
手段１．液体を流通させる液体通路（主供給ライン１２）と、
該液体通路の途中に設けられ前記液体を圧送する圧送手段（ポンプ１３）と、
前記液体通路から分岐させて設けられた複数の分岐通路（分岐ラインＬＮ１〜ＬＮｎ）と、
前記液体通路の途中に設けられ同液体通路内の液体圧力を調整する圧力調整用アクチュエータ（リリーフ弁３１、電空レギュレータ３２等）と、
を備え、前記複数の分岐通路を個別に開放又は閉鎖し、開放された分岐通路を通じて前記液体通路から液体を流通させる液体供給システムにおいて、
各分岐通路の開放又は閉鎖が要求される場合に、その開放又は閉鎖に伴う前記分岐通路の流量変化分に相当する前記圧力調整アクチュエータの制御量を算出する制御量算出手段（コントローラ３５）と、
前記分岐通路の開閉に同期させて、前記制御量算出手段により算出したアクチュエータ制御量に基づいて前記圧力調整用アクチュエータの駆動を制御するアクチュエータ制御手段（コントローラ３５）と、
を備えることを特徴とする液体供給システム。
【００１０】
手段１の液体供給システムでは、液体通路から分岐する複数の分岐通路が設けられており、この分岐通路によって、複数の液体供給先（ユースポイント）に液体が分配供給されるようになっている。かかる構成では、分岐通路の開放数が変更されることに伴い、開放状態の分岐通路を通じて流れる液体の流量が変化すると、前記液体通路内において圧力変動が生じうると考えられる。この点本発明では、上記のとおり各分岐通路の開放又は閉鎖が要求される場合に、その開放又は閉鎖に伴う分岐通路の流量変化分に相当するアクチュエータ制御量を算出するとともに、分岐通路の開閉に同期させてそのアクチュエータ制御量に基づいて圧力調整用アクチュエータの駆動を制御することにより、分岐通路の開放数が変更されることでその分岐通路の流量変化が生じても、その流量変化が原因で生じる液体通路内の圧力変動を抑制することができる。また本構成では、分岐通路ごとに圧力センサや圧力調整弁（レギュレータ）等を設置する必要がないため、構成の簡素化が実現できる。以上により、構成の煩雑化を回避しつつ、液体圧力を望み通りに適正に制御することができる。これにより、各分岐通路を介して流れる液体の流量が安定する。
【００１１】
手段２．同時に開閉される前記分岐通路の数と前記アクチュエータ制御量との関係を規定した制御量データを記憶装置（メモリ３５ｂ）に記憶しておき、
前記制御量算出手段は、前記要求に伴う分岐通路の開閉に際し、前記制御量データを参照して前記アクチュエータ制御量を算出することを特徴とする手段１に記載の液体供給システム。
【００１２】
要求に伴い同時に開閉される分岐通路の数が相違すれば、その開閉に伴う分岐通路の流量変化量が変わり、さらに液体通路内における圧力変動の状況も変わる。この点、上記のとおり制御量データを規定しておき、同制御量データを参照してアクチュエータ制御量を算出する構成とすることで、同時に開閉される分岐通路の数がいずれであっても、分岐通路の開閉時における液体通路内の圧力変動を好適に抑制することができる。
【００１３】
なお、上記のように同時に開閉される分岐通路の数をパラメータとする構成は、複数の分岐通路についてそれらの通路断面積がいずれも同一である場合に有効な手段になると考えられる。
【００１４】
手段３．前記複数の分岐通路について開閉に伴う流量変化分に相当する前記アクチュエータ制御量を分岐通路ごとに規定した通路別データを記憶装置（メモリ３５ｂ）に記憶しておき、
前記制御量算出手段は、前記要求に伴う分岐通路の開閉に際し、前記通路別データを参照して前記アクチュエータ制御量を算出することを特徴とする手段１に記載の液体供給システム。
【００１５】
複数の分岐通路について開閉に伴う流量変化量が通路ごとに相違することも考えられる。この点、上記のとおり通路別データを規定しておき、同通路別データを参照してアクチュエータ制御量を算出する構成とすることで、分岐通路ごとに流量が相違していても、分岐通路の開閉時における液体通路内の圧力変動を好適に抑制することができる。
【００１６】
なお、複数の分岐通路が同時に開閉される場合には、同時に開閉される分岐通路ごとの各アクチュエータ制御量を加算することで、最終のアクチュエータ制御量を算出するとよい。例えば第１分岐通路の開閉に伴う流量変化分に相当するアクチュエータ制御量がβ１、第２分岐通路の開閉に伴う流量変化分に相当するアクチュエータ制御量がβ２であり、それら第１，第２分岐通路が同時に開放（又は閉鎖）される場合には、アクチュエータ制御量が「β１＋β２」として算出される。
【００１７】
手段４．前記液体通路内の液体圧力を検出する圧力検出手段（圧力センサ３３）と、
前記圧力検出手段により検出した液体圧力が目標値に一致するよう前記圧力調整用アクチュエータの制御量をフィードバック制御するフィードバック制御手段（コントローラ３５）と、
をさらに備えることを特徴とする手段１乃至３のいずれかに記載の液体供給システム。
【００１８】
既述のとおり要求に伴う分岐通路の開閉に際してその開閉に同期させて圧力調整用アクチュエータの駆動を制御することにより、液体通路内の圧力変動が大幅に抑制されると考えられるが、一時的であるにしろ同液体通路内で圧力変動が生じることも想定される。この点、フィードバック制御を組み合わせて実行することにより、仮に一時的に圧力変動が生じてもその圧力変動をいち早く解消できる。
【００１９】
手段５．前記複数の分岐通路について少なくともいずれかを開閉させる旨指令する開閉指令手段（コントローラ３５）と、
前記開閉指令手段による指令後において前記アクチュエータ制御手段による圧力調整用アクチュエータの制御を停止した状態で前記フィードバック制御手段によるフィードバック制御を実行し、同フィードバック制御によって求められた実制御量（フィードバック制御量）を、都度の分岐通路の開閉指令に対応づけて記憶する制御量記憶手段（コントローラ３５）と、を備え、
前記制御量算出手段は、前記制御量記憶手段により記憶した実制御量を用いて都度のアクチュエータ制御量を算出することを特徴とする手段４に記載の液体供給システム。
【００２０】
手段５によれば、アクチュエータ制御手段による制御（すなわち、分岐通路の開閉に同期させて行われる圧力調整用アクチュエータの駆動制御）を停止した状態で液体通路内の液体圧力をフィードバック制御することにより、要求に伴う分岐通路の開閉によって実際にどれだけアクチュエータ制御量（実制御量）を要するかを正確に把握できる。つまりこれにより、ティーチング処理を適正に行い、アクチュエータ制御量（実制御量）について良好なティーチングデータを得ることができる。そして、システム稼働時には、そのティーチングデータを用いることにより、圧力調整用アクチュエータを最適なアクチュエータ制御量で制御することができる。この場合、各分岐通路の開閉時の流量変化量が経時変化等に起因して変化したとしても、その変化に合わせた最適な制御が実現できる。
【００２１】
なお、ティーチングデータの取得は、システム立ち上げ時に実行される他、システム立ち上げ後において定期又は非定期で繰り返し実行されるとよい。既にティーチングデータが記憶されている場合には、それまでのティーチングデータが新たなティーチングデータによって更新される。
【００２２】
手段６．前記開閉指令手段は、前記複数の分岐通路について同時に開閉可能な分岐通路の数分の全パターンを順次指令することを特徴とする手段５に記載の液体供給システム。
【００２３】
これにより、同時に開閉可能な分岐通路の数分の全パターンについて実制御量（ティーチングデータ）の取得が可能となる。
【００２４】
手段７．前記開閉指令手段は、前記複数の分岐通路について当該分岐通路を１つずつ開放又は閉鎖させる旨を順次指令することを特徴とする手段５に記載の液体供給システム。
【００２５】
これにより、要求に伴い開閉される全ての分岐通路について個別に実制御量（ティーチングデータ）を取得できる。この場合、仮に分岐通路ごとに開放時の液体流量が相違していても、又は個体差があったとしても、それに対処させて好適に実制御量（ティーチングデータ）を取得できる。
【００２６】
手段８．前記アクチュエータ制御手段によるアクチュエータ駆動後における前記液体通路内の圧力変化を検出する圧力変化検出手段（コントローラ３５）と、
該圧力変化検出手段により検出された圧力変化に基づいて、前記アクチュエータ制御手段による前記圧力調整用アクチュエータの駆動タイミングを変更するタイミング制御手段（コントローラ３５）と、
をさらに備えることを特徴とする手段１乃至７のいずれかに記載の液体供給システム。
【００２７】
ここで、上記のごとく分岐通路の開閉に同期させて圧力調整用アクチュエータの駆動を制御すれば、液体通路内の圧力変動を十分に抑制することが可能であるが、その圧力調整用アクチュエータの駆動が早すぎたり遅すぎたりすると、一時的であるが圧力変動が生じると考えられる。これは、圧力調整用アクチュエータの動作遅れ等が原因であると考えられる。この点、手段８によれば、圧力調整用アクチュエータを駆動させるタイミングが適宜変更されるため、分岐通路の開閉直後に一時的な圧力変動が生じても、次回以降のアクチュエータ駆動時において圧力変動を抑制することができる。
【００２８】
手段９．前記タイミング制御手段は、前記分岐通路の開放要求時において前記圧力変化検出手段により減少側の圧力変化が検出された場合にはアクチュエータ駆動タイミングを早くし、同じく開放要求時において前記圧力変化検出手段により増加側の圧力変化が検出された場合にはアクチュエータ駆動タイミングを遅くすることを特徴とする手段８に記載の液体供給システム。
【００２９】
上記構成によれば、分岐通路の開放要求時において、アクチュエータ駆動タイミングを早くすることで、同アクチュエータによる圧力調整（ここでは液体圧力の低下を抑制する圧力調整）をいち早く効かせることができる。これにより、液体通路内における減少側の圧力変化を抑えることができる。また、同じく開放要求時において、アクチュエータ駆動タイミングを遅くすることで、同アクチュエータによる圧力調整（ここでは液体圧力の上昇を抑制する圧力調整）をいち早く効かせることができる。これにより、液体通路内における増加側の圧力変化を抑えることができる。
【００３０】
ちなみに、分岐通路の閉鎖要求に応じて圧力調整用アクチュエータを駆動させる際には、以下の構成が適用される。すなわち、前記分岐通路の閉鎖要求時において前記圧力変化検出手段により増加側の圧力変化が検出された場合にはアクチュエータ駆動タイミングを早くし、同じく閉鎖要求時において前記圧力変化検出手段により減少側の圧力変化が検出された場合にはアクチュエータ駆動タイミングを遅くする。これにより、分岐通路の閉鎖時において、液体通路内における圧力変動をより適正に抑制できる。
【００３１】
手段１０．前記アクチュエータ制御手段によるアクチュエータ駆動後における前記液体通路内の圧力変化を検出する圧力変化検出手段（コントローラ３５）と、
該圧力変化検出手段により検出された圧力変化に基づいて、前記アクチュエータ制御手段による次回以降のアクチュエータ制御量を補正する制御量補正手段（コントローラ３５）と、
をさらに備えることを特徴とする手段１乃至７のいずれかに記載の液体供給システム。
【００３２】
上記のごとく分岐通路の開閉に同期させて圧力調整用アクチュエータの駆動を制御した際に、一時的に圧力変動が生じる場合、その一理由として、アクチュエータ制御量が大きすぎる、又は小さすぎると考えられる。この点、手段１０によれば、圧力調整用アクチュエータの制御量が適宜変更されるため、分岐通路の開閉直後に一時的な圧力変動が生じても、次回以降のアクチュエータ駆動時において圧力変動を抑制することができる。
【００３３】
手段１１．前記圧力調整用アクチュエータとして、前記液体通路において各分岐通路の分岐点よりも下流側に設けられたパイロット作動式のリリーフ弁（リリーフ弁３１）と、該リリーフ弁に作用するパイロット圧を調整するパイロット圧調整手段（電空レギュレータ３２）とを備え、
前記制御量算出手段は、前記アクチュエータ制御量として、前記分岐通路の開閉に伴う圧力変化を解消するためのパイロット圧に相当する制御量を算出することを特徴とする手段１乃至１０のいずれかに記載の液体供給システム。
【００３４】
手段１１によれば、パイロット圧調整手段によるパイロット圧を制御することでリリーフ弁による圧力開放（圧力リリース）の程度が変更され、それに伴いリリーフ弁の一次側圧力（すなわち、リリーフ弁よりも上流側の液体圧力）を適正に制御することができる。したがって、各分岐通路における液体圧力や流量が安定する。
【００３５】
上記のように各分岐通路の分岐点よりも下流側で圧力制御を行う構成では、仮にリリーフ弁でパーティクル（ゴミ等）が発生したとしても、そのパーティクルが各分岐通路に流入することはない。したがって、液体の清浄さを保つ上でも有利であると言える。
【００３６】
手段１２．前記圧力調整用アクチュエータとして、前記液体通路において各分岐通路の分岐点よりも上流側に設けられたパイロット作動式の圧力調整弁（圧力レギュレータ６１）と、該圧力調整弁に作用するパイロット圧を調整するパイロット圧調整手段（電空レギュレータ６２）とを備え、
前記制御量算出手段は、前記アクチュエータ制御量として、前記分岐通路の開閉に伴う圧力変化を解消するためのパイロット圧に相当する制御量を算出することを特徴とする手段１乃至１０のいずれかに記載の液体供給システム。
【００３７】
手段１２によれば、パイロット圧調整手段によるパイロット圧を制御することで圧力調整弁による圧力調整の程度が変更され、それに伴い圧力調整弁の二次側圧力（すなわち、圧力調整弁よりも下流側の液体圧力）を適正に制御することができる。したがって、各分岐通路における液体圧力や流量が安定する。
【発明を実施するための最良の形態】
【００３８】
（第１の実施形態）
以下、本発明を具体化した第１の実施形態を図面に従って説明する。本実施形態における液体供給システムの概要を図１に基づいて説明する。図１の液体供給システムは、一例として、半導体製品や化学薬品等の製造時において複数の洗浄装置（ユースポイント）に洗浄液を分配供給するためのシステムを想定したものである。
【００３９】
図１において、液体タンク１１には液体として洗浄液が貯留されている。液体タンク１１には配管等よりなる主供給ライン１２が接続され、その主供給ライン１２には、液体タンク１１内の液体を汲み上げるとともに所定圧力でライン下流側に吐出（圧送）するポンプ１３が設けられている。主供給ライン１２は、液体タンク１１を液体供給源として液体を循環させるものであり、ライン始端部及びライン終端部が共に液体タンク１１に接続されている。本実施形態では、主供給ライン１２が「液体通路」に相当し、ポンプ１３が「圧送手段」に相当する。
【００４０】
また、主供給ライン１２には、当該ライン１２を流通する液体を複数の洗浄装置等に分配供給するための複数の分岐ラインＬＮ１，ＬＮ２，ＬＮ３，…，ＬＮｎが接続されている（例えばｎ＝１０）。分岐ラインＬＮ１〜ＬＮｎは、通路開口面積がいずれも同一である複数の配管により構成されており、これが「分岐通路」に相当する。各々の分岐ラインＬＮ１〜ＬＮｎには、当該分岐ラインを開閉して液体の通過を許可又は禁止する開閉弁２１と、流量調整のための可変絞り２２とがそれぞれ設けられている。各分岐ラインＬＮ１〜ＬＮｎの開閉弁２１は、空気圧力により開閉操作されるエアオペレートバルブにより構成されており、その開閉弁２１ごとに設けられる電磁弁２３の通電状態に応じて各開閉弁２１に作用する空気圧力が調節され、それに伴い開閉弁２１が開閉される。各分岐ラインＬＮ１〜ＬＮｎのいずれかの開閉弁２１が開放されると、その開状態の開閉弁２１に対応する分岐ラインを通じて液体が流れる。
【００４１】
各開閉弁２１の開閉動作は、分岐ライン制御装置２５により制御される。すなわち、分岐ライン制御装置２５には、都度の作業工程などに基づきどの液体供給先（ユースポイント）に液体を供給するか（すなわち、どの分岐ラインを開放するか）を決定するための制御管理データが保存されており、分岐ライン制御装置２５はその管理データに基づいてどの開閉弁２１を開閉するか（すなわち、どの分岐ラインにて流体を流通させるか）を判断する。そして、その判断の結果に応じて各電磁弁２３に対して開閉駆動信号を出力し、各開閉弁２１を選択的に開放又は閉鎖させる。
【００４２】
分岐ライン制御装置２５によって各開閉弁２１が開放又は閉鎖される場合、どの開閉弁２１（分岐ライン）が開放又は閉鎖されるかを示す分岐ライン開閉信号が、後述する圧力制御部３０のコントローラ３５に送信されるようになっている。このとき、分岐ライン制御装置２５は、電磁弁２３に対して開閉駆動信号を出力するのと同時に、圧力制御部３０のコントローラ３５に対して分岐ライン開閉信号を出力する。
【００４３】
また、主供給ライン１２において各分岐ラインＬＮ１〜ＬＮｎの分岐点よりも下流側には、本システムにおける液体圧力を制御するための圧力制御部３０が設けられている。圧力制御部３０は、主供給ライン１２上に設けられるリリーフ弁３１と、該リリーフ弁３１に供給する操作エアの圧力を調整する電空レギュレータ３２と、主供給ライン１２の液体圧力（リリーフ弁３１の一次側圧力）を検出する圧力センサ３３と、ＣＰＵ３５ａやメモリ３５ｂ等を有するマイクロコンピュータよりなるコントローラ３５とを具備している。なお、リリーフ弁３１及び電空レギュレータ３２が圧力調整用アクチュエータに相当する。
【００４４】
リリーフ弁３１はパイロット作動式の圧力調整弁であり、その構成を図２により簡単に説明する。リリーフ弁３１において、液体入口側である一次側通路４１と液体出口側である二次側通路４２との間には、ダイアフラム部４３を一体的に有する弁体４４が設けられ、弁体４４の変位により一次側通路４１及び二次側通路４２を介しての液体の流通が阻止又は許容される。このとき、一次側通路４１内の液体圧力（一次側圧力）がダイアフラム部４３に作用することで弁体４４が開側に変位し、一次側通路４１内の液体が二次側通路４２に流出する。
【００４５】
また、リリーフ弁３１には、外部から操作エアを導入する操作エア室４６が設けられており、弁体４４には前記一次側圧力と逆向きに操作エア室４６内の圧力（操作エア圧力）が作用するようになっている。この操作エア圧力がパイロット圧に相当する。操作エア室４６はエア入出ポート４７に連通しており、電空レギュレータ３２から供給される操作エアがエア入出ポート４７を介して導入されることで操作エア圧力が可変調整される。
【００４６】
この場合、操作エア圧力が増加側に変更されると、一次側通路４１内の液体圧力（一次側圧力）が一定であっても弁体４４の開度が閉じ側に制御される。これにより、リリーフ弁３１を通過して流れる液体の流量が減り、当該リリーフ弁３１による圧力開放（圧力リリース）の程度が減じられる。言い換えれば、操作エア圧力を増大させることにより、主供給ライン１２内の液体圧力を増加側に制御することが可能となる。また、操作エア圧力が減少側に変更されると、一次側通路４１内の液体圧力（一次側圧力）が一定であっても弁体４４の開度が開き側に制御される。これにより、リリーフ弁３１を通過して流れる液体の流量が増え、当該リリーフ弁３１による圧力開放（圧力リリース）の程度が増える。言い換えれば、操作エア圧力を減少させることにより、主供給ライン１２内の液体圧力を減少側に制御することが可能となる。なお、リリーフ弁３１の構成として、電空レギュレータ３２を一体化させて設けることも可能である。
【００４７】
図１の説明に戻り、圧力制御部３０において、圧力センサ３３からの圧力検出信号はコントローラ３５に逐次入力される。コントローラ３５は、前記圧力検出信号から算出した液体圧力（実圧力）に基づいて、電空レギュレータ３２から排出される操作エアの圧力を調整する。電空レギュレータ３２によって操作エア圧力が調整されることにより、主供給ライン１２の液体圧力（リリーフ弁３１の一次側圧力）が都度の設定圧力に制御される。なおこのとき、設定圧力は、作業者による外部入力によって設定されるか、或いは都度の最適値となるようにコントローラ３５の演算処理によって設定されるとよい。
【００４８】
また、コントローラ３５は、分岐ライン制御装置２５から分岐ライン開閉信号を入力し、その分岐ライン開閉信号に基づいて各分岐ラインの開閉状況を把握する。例えば、分岐ライン開閉信号に基づいて、分岐ライン数を増加又は減少させるためのライン開閉要求の有無を判定する。
【００４９】
ところで、上記構成の液体供給システムでは、主供給ライン１２内の液体圧力を都度の設定圧力（目標値）に収束させる圧力フィードバック制御が実行される。より具体的には、例えばＰＩＤ、ＰＩ等の制御手法を用い、設定圧力と実圧力（圧力センサ３１による計測圧力）との偏差に基づいて電空レギュレータ３２に対する制御指令値が算出されるとともに、該制御指令値に基づく信号出力により圧力制御が行われる。上記のフィードバック制御により、任意の分岐ラインＬＮ１〜ＬＮｎを通じて液体が流れることによって主供給ライン１２の液体圧力が変化しても、その後速やかに元の設定圧力に復帰できるようになっている。
【００５０】
ここで、上記システムでは、複数の分岐ラインＬＮ１〜ＬＮｎのうちいずれが開放されるかは任意に切り換えられ、分岐ラインの開放数が増加又は減少する場合には、主供給ライン１２内の液体圧力に変動が生じる。具体的には、図３（ａ）に示すように、分岐ラインＬＮｉが新たに開放されることでライン開放数が増える場合、分岐ラインＬＮｉの開放によって同分岐ラインＬＮｉに主供給ライン１２から液体が流入するため、主ライン圧力（主供給ライン１２内の液体圧力）が低下する。ただしこのとき、主ライン圧力の低下により圧力偏差（図のΔＰ）が生じるため、その圧力偏差を解消すべく圧力フィードバック制御が実行され、電空レギュレータ３２により調整される操作エア圧力が上昇する。これにより、主ライン圧力が次第に設定圧力に復帰する。
【００５１】
上記とは逆に、分岐ラインＬＮｉが閉鎖されることで分岐ラインの開放数が減る場合には、図３（ｂ）に示すように、分岐ラインＬＮｉへの液体の流出が停止されることで主ライン圧力が一時的に上昇し、その後圧力フィードバック制御によって操作エア圧力が降下することで次第に設定圧力に復帰する。
【００５２】
上記のように分岐ラインの増減に伴い圧力変動が生じる場合、その圧力変動後には圧力フィードバック制御（設定圧力と実圧力との偏差に基づくフィードバック制御）によって圧力偏差が生じている状態が次第に解消されるが、一時的であるにしろ圧力変動が生じ、その改善が望まれる。
【００５３】
主ライン圧力変動の対策として本実施形態では、分岐ラインの開放数を増加又は減少する場合に、そのライン数の増加・減少と同時に操作エア圧力の増減調整を実施する。具体的には、図４（ａ）に示すように、分岐ラインＬＮｉが新たに開放されることでライン開放数が増える場合、そのライン開放と同時に操作エア圧力を所定の設定値Ａだけ一気に上昇させる。これにより、ライン開放と同時に操作エア圧力を上昇させることを行わず圧力フィードバック制御のみを実行する場合（図の一点鎖線）に比べて、主ライン圧力の変動量が少なく、かつ設定値への復帰を早めることができる。
【００５４】
なお、図示のようにわずかではあるが圧力変動が生じた場合には、都度の圧力偏差（図のΔＰ）に基づいて圧力フィードバック制御が実行され、それに伴い操作エア圧力が上昇する。
【００５５】
また、図４（ｂ）に示すように、分岐ラインＬＮｉが閉鎖されることでライン開放数が減る場合には、そのライン閉鎖と同時に操作エア圧力を所定の設定値Ａだけ一気に下降させる。これによりやはり、ライン閉鎖と同時に操作エア圧力を下降させることを行わず圧力フィードバック制御のみを実行する場合（図の一点鎖線）に比べて、主ライン圧力の変動量が少なく、かつ設定値への復帰を早めることができる。
【００５６】
ここで、分岐ラインＬＮｉが新たに開放又は閉鎖される際に操作エア圧力をどの値に制御するか、すなわち上述した設定値Ａを如何なる値にするかは、分岐ラインの開放数の増減により主ライン圧力がどの程度変動するかを予測して決定されることが望ましい。本実施形態では、分岐ラインの増減数（同時に開閉されるライン数）と操作エア圧力の増減量とをあらかじめ規定した操作エア圧力制御量データを用意しておき、その操作エア圧力制御量データに基づいて都度の設定値Ａを決定する。図５（ａ）には操作エア圧力制御に関するマップデータを示しており、分岐ラインの増減数（±１，±２，・・・±ｎ）ごとに操作エア圧力の増減量（α１，α２，・・・αｎ）が規定されている。このとき、分岐ラインの増減数が多いほど、操作エア圧力の増減量として大きい値が規定されている。
【００５７】
ちなみに、各分岐ラインＬＮ１〜ＬＮｎの通路開口面積がいずれも同一である場合には、単純に分岐ラインの増減数ごとに操作エア圧力の増減量を規定することが可能となるが、各分岐ラインＬＮ１〜ＬＮｎの通路開口面積が同一でない場合には、分岐ラインごとに、開閉した時の操作エア圧力の増減量を規定しておくことが望ましい。つまり、図５（ｂ）に示すように、分岐ライン番号（ＬＮ１，ＬＮ２，・・・ＬＮｎ）ごとに操作エア圧力の増減量（β１，β２，・・・βｎ）を規定しておく。かかる場合、例えば、分岐ラインＬＮ１，ＬＮ２を同時に開放するのであれば、操作エア圧力の増減量を「β１＋β２」とする。
【００５８】
図５（ａ），（ｂ）の各データはあらかじめ適合等により求められ、コントローラ３５内のメモリ３５ｂに記憶保持されている。
【００５９】
図６は、液体圧力制御処理の手順を示すフローチャートであり、本処理は、コントローラ３５によって所定の時間周期で繰り返し実行される。
【００６０】
図６において、ステップＳ１１では、主供給ライン１２内の液体圧力についてＰＩＤ等によるフィードバック演算により操作エア圧力の基本制御値を算出する。詳しくは、都度の設定圧力と実圧力（圧力センサ３１による計測圧力）との偏差を算出するとともに、その偏差に基づいて電空レギュレータ３２の操作エア圧力の基本制御値を算出する。
【００６１】
その後、ステップＳ１２では、今回、分岐ラインの開閉要求があったか否かを判定する。この判定は、分岐ライン制御装置２５から入力した分岐ライン開閉信号に基づいて行われ、分岐ライン数を増加させる要求、又は減少させる要求があった場合に肯定判定がなされる。
【００６２】
ライン開閉要求が無ければステップＳ１３に進み、前記算出した操作エア圧力の基本制御値をそのまま電空レギュレータ３２の制御指令値として算出する（制御指令値＝基本制御値）。
【００６３】
また、ライン開閉要求が有ればステップＳ１４に進む。ステップＳ１４では、分岐ライン制御装置２５から入力した分岐ライン開閉信号に基づいて今回の開閉要求により増減される分岐ライン数を算出する。このとき、分岐ラインの増減数として「＋１」，「−１」といった数値が算出される。
【００６４】
その後、ステップＳ１５では、都度の分岐ラインの増減数に基づいて操作エア圧力の増減量を算出するとともに、その増減量に応じた増減補正値を算出する。このとき、図５（ａ）に示す操作エア圧力制御量データを参照して操作エア圧力の増減量が算出され、その増減量に対応させて増減補正値が算出される。なおこのとき、図５（ｂ）に示す操作エア圧力制御量データを参照して操作エア圧力の増減量が算出され、その増減量に対応させて増減補正値が算出される構成であってもよい。
【００６５】
その後、ステップＳ１６では、前記ステップＳ１１で算出した操作エア圧力の基本制御値に前記ステップＳ１５で算出した増減補正値を加算して電空レギュレータ３２の制御指令値を算出する（制御指令値＝基本制御値＋増減補正値）。
【００６６】
最後にステップＳ１７では、ステップＳ１３又はＳ１６で算出した制御指令値に相当するレギュレータ駆動信号を電空レギュレータ３２に出力する。これにより、電空レギュレータ３２の操作エア圧力が適宜調整される。
【００６７】
以上詳述した本実施形態によれば、以下の優れた効果が得られる。
【００６８】
各分岐ラインの開閉要求に際し、その分岐ラインの開閉に同期させて電空レギュレータ３２の駆動を制御する構成としたため、分岐ラインの開放数が変更されることでその分岐ラインの流量変化が生じても、その流量変化が原因で生じる主供給ライン１２内の圧力変動を抑制することができる。また本構成では、分岐ラインＬＮ１〜ＬＮｎごとに圧力センサやレギュレータ等を設置する必要がないため、構成の簡素化が実現できる。以上により、構成の煩雑化を回避しつつ、液体圧力を望み通りに適正に制御することができる。これにより、各分岐ラインＬＮ１〜ＬＮｎを介して流れる液体の流量変動が抑制でき、複数の洗浄装置に対して液体（洗浄液）を安定供給することができる。
【００６９】
分岐ライン制御装置２５が電磁弁２３に対して開閉駆動信号を出力するタイミングと圧力制御部３０のコントローラ３５に対して分岐ライン開閉信号を出力するタイミングとを同時とするとともに、コントローラ３５が分岐ライン開閉信号に基づいて各分岐ラインの開閉要求を判定する構成としたため、分岐ラインの開閉と電空レギュレータ３２の駆動制御とを同期させて行わせることが可能となる。なおこのとき、分岐ラインの開閉と電空レギュレータ３２の駆動制御とを同時に実行する以外に、それらを、あらかじめ定めた時間だけ前後にずらして実行することも可能である。
【００７０】
また、圧力フィードバック制御を組み合わせて実行する構成としたため、分岐ラインの開閉に伴い一時的に圧力変動が生じたとしてもその圧力変動をいち早く解消できる。
【００７１】
分岐ラインの増減数（同時に開閉されるライン数）と操作エア圧力の増減量との関係を規定した操作エア圧力制御量データを記憶しておき、その制御量データを参照して電空レギュレータ３２の駆動を制御する構成としたため、同時に開閉される分岐ラインの数がいずれであっても、分岐ラインの開閉時における主供給ライン１２内の圧力変動を好適に抑制することができる。このとき、操作エア圧力制御量データをメモリ３５ｂ内にあらかじめ記憶しておくことで、システムの稼働状況に関する各種パラメータに応じて操作エア圧力の増減量を都度算出する構成に比して、圧力制御を簡易に実施できる。
【００７２】
なお、分岐ライン番号ごとに操作エア圧力の増減量を規定しておく構成であれば、開放時における流量が分岐ラインごとに相違していても、同様に分岐ラインの開閉時における主供給ライン１２内の圧力変動を好適に抑制することができる。
【００７３】
電空レギュレータ３２の操作エア圧力（パイロット圧）を制御することでリリーフ弁３１の開弁状態が調整され、それに伴いリリーフ弁３１の一次側圧力（すなわち、各分岐ラインＬＮ１〜ＬＮｎの分岐点よりも下流側の液体圧力）を適正に制御することができる。したがって、各分岐ラインＬＮ１〜ＬＮｎにおける液体圧力や流量が安定する。
【００７４】
各分岐ラインＬＮ１〜ＬＮｎの分岐点よりも下流側に圧力制御部３０を設けたため、仮に該圧力制御部３０のリリーフ弁３１でパーティクル（ゴミ等）が発生したとしても、そのパーティクルが各分岐ラインＬＮ１〜ＬＮｎに流入することはない。したがって、液体の清浄さを保つ上でも有利であると言える。
【００７５】
上記システムによれば、半導体製品や化学製品等の製造に際し、好適なる洗浄作業等が実現できる。そのため、生産性の向上や品質の安定などの効果も期待できる。また、装置立ち上げ時の分岐ラインの流量の調整等が簡単になるという効果も期待できる。
【００７６】
（第２の実施形態）
第２の実施形態では、複数の分岐ラインＬＮ１〜ＬＮｉについてそのライン開放又は閉鎖に伴い実際にどれだけのアクチュエータ制御量（操作エア圧力）が必要になるかをティーチング処理により取得し、そのティーチング処理により取得したティーチングデータを用いて電空レギュレータ３２の駆動を制御する。
【００７７】
ティーチング処理について具体的には、複数の分岐ラインＬＮ１〜ＬＮｉのいずれを開閉させるかを指令し、その指令後において圧力フィードバック制御を実行してその時のフィードバック制御量を取得する。このとき、分岐ラインの開閉に同期させて行われる電空レギュレータ３２の駆動制御（図６のステップＳ１４〜Ｓ１６）を停止した状態で圧力フィードバック制御を実行することにより、分岐ラインの開閉によって実際にどれだけフィードバック制御量（実制御量）を要するかを正確に把握できる。これにより、良好なティーチングデータが得られる。そして、同データを都度の分岐ラインの開閉指令に対応づけて記憶する。なお本実施形態では、メモリ３５ｂの少なくとも一部として、ＥＥＰＲＯＭ等、電気的に書き換え可能な不揮発性メモリを用いる構成としており、そのＥＥＰＲＯＭ等にティーチングデータが記憶される。ティーチングデータが記憶されるメモリとして、外部記憶媒体を用いることも可能である。
【００７８】
ティーチングデータの取得は、システム立ち上げ時に実行される他、システム立ち上げ後において定期又は非定期で繰り返し実行される。工場で本システムを稼働させる場合には、例えば日ごとの始業前に実行されてもよい。ティーチングデータが既にメモリ３５ｂに記憶されている場合には、それまでのティーチングデータが新たなティーチングデータによって更新される。
【００７９】
図７は、ティーチング処理の手順を示すフローチャートであり、本処理は、コントローラ３５によって所定の時間周期で繰り返し実行される。
【００８０】
図７において、ステップＳ２１では、複数の分岐ラインＬＮ１〜ＬＮｉについて全ての開閉パターンのティーチングが終了したか否かを判定する。ティーチングが全パターン終了していれば、そのまま本処理を終了し、全パターン終了していなければ後続のステップＳ２２に進む。
【００８１】
ステップＳ２２では、今回実行するティーチング処理における分岐ラインの開閉パターンを決定する。本実施形態では、複数の分岐ラインＬＮ１〜ＬＮｉについて同時に開閉可能なライン数の全パターンを順次指令することとし、具体的には、１ライン開放、２ライン同時開放、・・・ｎライン同時開放（全ライン開放）の各パターンを用意しておき、それら各パターンを順に選択する。
【００８２】
その後、ステップＳ２３では、都度決定される開閉パターンに従い開閉弁２１を開放動作させて分岐ラインを開放する旨を分岐ライン制御装置２５に指令する。例えば、１ライン開放のパターンであれば、第１ラインＬＮ１のみ開放させ、２ライン同時開放のパターンであれば、第１及び第２ラインＬＮ１，ＬＮ２を同時に開放させる。
【００８３】
その後、ステップＳ２４では、ＰＩＤ等による圧力フィードバック制御を実行する。このフィードバック制御では、前述のとおり、都度の設定圧力と実圧力（圧力センサ３１による計測圧力）との偏差に基づいて電空レギュレータ３２の基本制御値を算出するとともに、その基本制御値を制御指令値として電空レギュレータ３２の駆動を制御する。このとき、圧力フィードバック制御によってのみ電空レギュレータ３２が制御されるため、開閉弁２１の開放指令後には主ライン圧力に変動が生じ、その圧力変動を抑えるべくフィードバック制御が実行される（図３（ａ）参照）。
【００８４】
ステップＳ２５では、圧力フィードバック制御において算出されたフィードバック制御量をティーチングデータとして取得する。そして、ステップＳ２６では、そのフィードバック制御量を、都度の分岐ラインの開閉パターン（開閉指令）に対応づけてメモリ３５ｂに記憶する。このとき、メモリ３５ｂ内に、同じ開閉ライン数の制御量データが既に存在している場合には、その既存データが今回のティーチングデータにより更新される。なお、更新の許可条件を設定しておいてもよい。例えば、新旧データを比較し、その差が所定値以内である場合にのみ更新を許可する。
【００８５】
上記ティーチングは、全ての開閉パターンのライン開放が完了するまで繰り返し実行される。そして、全ての開閉パターンのティーチングデータが揃った後に、そのティーチングデータを用いて前述の液体圧力制御処理（図６参照）が実行される。
【００８６】
以上第２の実施形態によれば、システム稼働時において、ティーチング処理により得られたティーチングデータを用いて電空レギュレータ３２の駆動制御を実行することができるため、その制御性を向上させることができる。この場合、分岐ライン開閉時の流量変化量が経時変化等に起因して変化したとしても、その変化に合わせた最適な制御が実現できる。
【００８７】
（第３の実施形態）
第１の実施形態で説明したように、分岐ラインの開閉（開閉弁２１の開閉動作）に同期させて電空レギュレータ３２の駆動を制御すれば、理論上は圧力変動を生じさせなくすることが可能になると考えられるが、電空レギュレータ３２の駆動が早すぎたり遅すぎたりすると、一時的であるが圧力変動が生じると考えられる。すなわち、開閉弁２１が開閉されて分岐ラインの液体流量が変化するタイミングと、電空レギュレータ３２が駆動されてその時の操作エア圧力によりリリーフ弁３１が作動するタイミングとの関係によっては、増加側（正側）又は減少側（負側）の圧力変動が生じることとなる。その理由として、開閉弁２１側又は圧力制御部３０側の動作遅れ等が挙げられる。
【００８８】
ここで、図８（ａ）に示すように、開閉弁２１の開放と電空レギュレータ３２の駆動とを同時に実行した際に、主ライン圧力（主供給ライン１２内の液体圧力）が所定量Ｋ以上、減少側に変動した場合には、開閉弁２１の開閉により分岐ラインの液体流量が変化するタイミングに対して、電空レギュレータ３２の操作エア圧力によりリリーフ弁３１が作動するタイミングが遅いと考えられる。かかる場合、図中に一点鎖線で示すように、電空レギュレータ３２の駆動タイミングを早め、リリーフ弁３１が作動するタイミングを早くする。これにより、主ライン圧力の減少側への変動を抑え、同圧力を一定圧力に保持できる。
【００８９】
また、図８（ｂ）に示すように、開閉弁２１の開放と電空レギュレータ３２の駆動とを同時に実行した際に、主ライン圧力（主供給ライン１２内の液体圧力）が所定量Ｋ以上、増加側に変動した場合には、開閉弁２１の開閉により分岐ラインの液体流量が変化するタイミングに対して、電空レギュレータ３２の操作エア圧力によりリリーフ弁３１が作動するタイミングが早いと考えられる。かかる場合、図中に一点鎖線で示すように、電空レギュレータ３２の駆動タイミングを遅らせ、リリーフ弁３１が作動するタイミングを遅くする。これにより、主ライン圧力の増加側への変動を抑え、同圧力を一定圧力に保持できる。
【００９０】
図９は、電空レギュレータ３２の駆動タイミング制御処理を示すフローチャートであり、本処理はコントローラ３５によって所定の時間周期で繰り返し実行される。
【００９１】
図９において、ステップＳ３１では、分岐ラインの開放要求に伴い開閉弁２１の開放と電空レギュレータ３２の駆動とが実行された直後の主ライン圧力を読み込み、続くステップＳ３２では、その主ライン圧力が所定量Ｋ以上、増加側又は減少側に変動したか否かを判定する。ステップＳ３２が否定された場合にはそのまま本処理を終了し、ステップＳ３２が肯定された場合にはステップＳ３３に進む。
【００９２】
ステップＳ３３では、その圧力変動が減少側の変動であるか否かを判定する。そして、圧力変動が減少側であれば、電空レギュレータ３２の駆動タイミングを所定時間だけ早くする（ステップＳ３４）。また、圧力変動が増加側であれば、電空レギュレータ３２の駆動タイミングを所定時間だけ遅くする（ステップＳ３５）。電空レギュレータ３２の駆動タイミングの変更は、次回の分岐ライン開閉から適用される。
【００９３】
以上第３の実施形態によれば、電空レギュレータ３２の駆動タイミングが適宜変更されるため、開閉弁２１や電空レギュレータ３２における動作遅れが原因で分岐ラインの開閉直後に一時的な圧力変動が生じても、次回以降のレギュレータ駆動時において圧力変動を抑制することができる。
【００９４】
ちなみに、分岐ラインの閉鎖要求に応じて電空レギュレータ３２を駆動させる際には、以下の構成が適用されるとよい。すなわち、分岐ラインの閉鎖要求に応じた電空レギュレータ３２の駆動直後に増加側の圧力変化が検出された場合には、電空レギュレータ３２の駆動タイミングを早くする。また、同じく閉鎖要求に応じた電空レギュレータ３２の駆動直後に減少側の圧力変化が検出された場合には、電空レギュレータ３２の駆動タイミングを遅くする。これにより、分岐ラインの閉鎖時において、主供給ライン１２内における圧力変動をより適正に抑制できる。
【００９５】
分岐ラインの開閉（開閉弁２１の開閉動作）に同期させて電空レギュレータ３２の駆動を制御しても一時的に圧力変動が生じる場合の対策として、以下の構成を採用してもよい。すなわち、レギュレータ駆動後における主ライン圧力の変化を検出し、該検出された圧力変化に基づいてレギュレータ駆動のための次回以降の制御量を補正する。
【００９６】
図１０は、電空レギュレータ３２の制御量補正処理を示すフローチャートであり、本処理はコントローラ３５によって所定の時間周期で繰り返し実行される。
【００９７】
図１０において、ステップＳ４１では、分岐ラインの開放要求に伴い開閉弁２１の開放と電空レギュレータ３２の駆動とが実行された直後の主ライン圧力を読み込み、続くステップＳ４２では、その主ライン圧力が所定量Ｋ以上、増加側又は減少側に変動したか否かを判定する。ステップＳ４２が否定された場合にはそのまま本処理を終了し、ステップＳ４２が肯定された場合にはステップＳ４３に進む。
【００９８】
ステップＳ４３では、その圧力変動が減少側の変動であるか否かを判定する。そして、圧力変動が減少側であれば、レギュレータ制御量の補正値を大きくする（ステップＳ４４）。また、圧力変動が増加側であれば、レギュレータ制御量の補正値を小さくする（ステップＳ４５）。なお、補正値の初期値は０であり、ステップＳ４２が肯定される度に、補正値の前回値に対して所定値が加算又は減算されて補正値が更新される。ステップＳ４４，Ｓ４５で算出した補正値は、次回の分岐ライン開閉から適用される。
【００９９】
レギュレータ制御量が小さすぎる場合には、レギュレータ駆動直後に減少側に圧力変動が生じるが、次回以降のレギュレータ駆動時において上記補正値を用いてレギュレータ制御量を補正（増補正）することにより操作エア圧力の変化が大きくなり、その減少側の圧力変動が抑制される。また、レギュレータ制御量が大きすぎる場合には、レギュレータ駆動直後に増加側に圧力変動が生じるが、次回以降のレギュレータ駆動時において上記補正値を用いてレギュレータ制御量を補正（減補正）することにより操作エア圧力の変化が小さくなり、その増加側の圧力変動が抑制される。
【０１００】
ちなみに、分岐ラインの閉鎖要求に応じて電空レギュレータ３２を駆動させる際には、以下の構成が適用されるとよい。すなわち、分岐ラインの閉鎖要求に応じた電空レギュレータ３２の駆動直後に増加側の圧力変化が検出された場合には、レギュレータ制御量の補正値を大きくする（操作エア圧力の変化を大きくする）。また、同じく閉鎖要求に応じた電空レギュレータ３２の駆動直後に減少側の圧力変化が検出された場合には、レギュレータ制御量の補正値を小さくする（操作エア圧力の変化を小さくする）。これにより、分岐ラインの閉鎖時において、主供給ライン１２内における圧力変動をより適正に抑制できる。
【０１０１】
（別の実施形態）
本発明は上記実施形態の記載内容に限定されず、例えば次のように実施してもよい。
【０１０２】
上記各実施形態では、主供給ライン１２において各分岐ラインＬＮ１〜ＬＮｎの下流側に圧力制御部３０を設けた構成について説明したが、これを図１１のように変更する。図１１では、主供給ライン１２において各分岐ラインＬＮ１〜ＬＮｎの分岐点よりも上流側に圧力制御部６０を設けている。圧力制御部６０は、主供給ライン１２上に設けられるパイロット作動式の圧力レギュレータ６１と、該レギュレータ６１に供給する操作エアの圧力（パイロット圧）を調整する電空レギュレータ６２と、主供給ライン１２の液体圧力（圧力レギュレータ６１の二次側圧力）を検出する圧力センサ６３と、ＣＰＵ６５ａやメモリ６５ｂ等を有するマイクロコンピュータよりなるコントローラ６５とを具備している。
【０１０３】
圧力センサ６３からの圧力検出信号はコントローラ６５に逐次入力される。コントローラ６５は、前記圧力検出信号から算出した液体圧力（実圧力）に基づいて、電空レギュレータ６２から排出される操作エアの圧力を調整する。電空レギュレータ６２によって操作エア圧力が調整されることにより、主供給ライン１２の液体圧力（圧力調整弁６１の二次側圧力）が都度の設定圧力に制御される。また、コントローラ６５は、各分岐ラインの開閉要求に際し、その分岐ラインの開閉に同期させて電空レギュレータ６２の駆動を制御する。ただしその詳細は、上記第１の実施形態におけるコントローラ３５の処理内容と同様であるため、ここではその説明を割愛する。
【０１０４】
上記構成においても、上記第１の実施形態と同様に、構成の煩雑化を回避しつつ、液体圧力を望み通りに適正に制御することができる。これにより、各分岐ラインＬＮ１〜ＬＮｎを介して流れる液体の流量変動を抑制できる。
【０１０５】
上記実施形態では、分岐ライン制御装置２５から出力される分岐ライン開閉信号が圧力制御部３０のコントローラ３５に入力され、コントローラ３５が、分岐ライン開閉信号に基づいて各分岐ラインの開閉要求の有無を判定したが、これを変更する。例えば、分岐ライン制御装置２５から電磁弁２３に対して出力される開閉駆動信号をコントローラ３５に対しても同様に出力し、コントローラ３５が、その開閉駆動信号に基づいて各分岐ラインの開閉要求の有無を判定する構成であってもよい。また、コントローラ３５が、いずれの分岐ラインＬＮ１〜ＬＮｎで液体を流通させるかを集中管理するとともに、分岐ラインの開放数を変更する際に自身で開閉要求有りと判定する構成としてもよい。
【０１０６】
上記実施形態では、液体圧力制御として圧力フィードバック制御を実行する構成としたが、その圧力フィードバック制御を実行しない構成としてもよい。この場合、圧力フィードバック制御を実行しなくても、上記のとおり各分岐ラインの開閉要求時に、その開閉に伴う分岐ラインの流量変化分に相当するアクチュエータ制御量を算出するとともに、分岐ラインの開閉に同期させてアクチュエータ制御量に基づいて電空レギュレータ３２の駆動を制御することにより、主供給ライン１２内の液体圧力を適正に制御することができる。かかる構成によれば、圧力センサ３３が不要となり、コスト低減を図ることができる。
【０１０７】
上記第２の実施形態では、ティーチング処理において、複数の分岐ラインＬＮ１〜ＬＮｉについて同時に開閉可能なライン数の全パターンを順次指令する構成としたが（図７のステップＳ２２）、これを変更し、複数の分岐ラインＬＮ１〜ＬＮｎについて当該分岐ラインを１つずつ開放又は閉鎖させる旨を順次指令する構成としてもよい。これにより、要求に伴い開閉される全ての分岐ラインについて個別にティーチングデータの取得が可能となる。この場合、仮に分岐ラインごとに開放時の液体流量が相違していても、又は個体差があったとしても、それに対処させて好適にティーチングデータを取得できる。
【０１０８】
上記第２の実施形態では、アクチュエータ制御量（操作エア圧力の調整量）のティーチングに際し、圧力制御部３０のコントローラ３５が、分岐ラインの開閉パターンを決定するとともに、その開閉パターンに従い分岐ライン制御装置２５に対して開閉指令を出す構成としたが、これを変更する。例えば、アクチュエータ制御量（操作エア圧力の調整量）のティーチングに際し、分岐ライン制御装置２５が、分岐ラインの開閉パターンを決定するとともに、その開閉パターンに従いコントローラ３５に対して開閉指令を出す構成としてもよい。
【０１０９】
各分岐ラインＬＮ１〜ＬＮｎにおける開口面積（すなわち、開閉弁２１の開度）を可変に調整できる構成とし、各分岐ラインＬＮ１〜ＬＮｎが開閉される際に、それら各分岐ラインの開口面積（開閉弁２１の開度）に基づいて電空レギュレータ３２の制御量を決定する構成としてもよい。例えば、分岐ラインの開口面積が全開時面積より小さい場合には、その分を加味して電空レギュレータ３２の制御量を減補正する。
【０１１０】
主供給ライン１２に設けられるポンプ１３（圧送手段）として、調量機能を有するポンプを用い、分岐ラインの開放数に応じて当該ポンプによる液体吐出量を調整するようにしてもよい。
【図面の簡単な説明】
【０１１１】
【図１】第１の実施形態における液体供給システムの概略を示す構成図。
【図２】リリーフ弁の構成を示す断面図。
【図３】分岐ラインの開閉時に主ライン圧力の変動が生じることを説明するためのタイムチャート。
【図４】液体圧力制御の概要を具体的に説明するためのタイムチャート。
【図５】操作エア圧力制御に関するマップデータを示す図。
【図６】液体圧力制御処理の手順を示すフローチャート。
【図７】第２の実施形態においてティーチング処理の手順を示すフローチャート。
【図８】第３の実施形態において電空レギュレータの駆動タイミング制御の概要を説明するためのタイムチャート。
【図９】第３の実施形態において電空レギュレータの駆動タイミング制御処理を示すフローチャート。
【図１０】第３の実施形態において電空レギュレータの制御量補正処理を示すフローチャート。
【図１１】別の実施形態における液体供給システムの概略を示す構成図。
【図１２】従来技術における液体供給システムの概略を示す構成図。
【符号の説明】
【０１１２】
１１…液体タンク、１２…主供給ライン、１３…ポンプ、２１…開閉弁、３０…圧力制御部、３１…リリーフ弁、３２…電空レギュレータ、３３…圧力センサ、３５…コントローラ、３５ｂ…メモリ、６０…圧力制御部、６１…レギュレータ、６２…電空レギュレータ、６３…圧力センサ、６５…コントローラ、６５ｂ…メモリ、ＬＮ１〜ＬＮｎ…分岐ライン。
【図１】
2008299774.tif 000003
【図２】
2008299774.tif 000004
【図３】
2008299774.tif 000005
【図４】
2008299774.tif 000006
【図５】
2008299774.tif 000007
【図６】
2008299774.tif 000008
【図７】
2008299774.tif 000009
【図８】
2008299774.tif 000010
【図９】
2008299774.tif 000011
【図１０】
2008299774.tif 000012
【図１１】
2008299774.tif 000013
【図１２】
2008299774.tif 000014